(57)【要約】【課題】装置全体として大きさを小型化した車両用空気質成分供給装置を提供する。【解決手段】車両用空気質成分供給装置２０は、所定の空気質成分を有する成分保有チャンバ２１と、空気の固まりが車内２に向けて放出される放出口２４と、放出口２４に連通する空気質チャンバ２２と、成分保有チャンバ２１と空気質チャンバ２２を連通させる連通部２６と、空気質チャンバ２２内の空気質成分を含んだ気体を圧縮して空気の固まりを放出する圧縮手段２３と、を備えている。そして、装置本体内部には、成分保有チャンバ２１と空気質チャンバ２２が圧縮手段２３を介在して配置され、成分保有チャンバ２１内の空気質成分は、圧縮手段２３が動作することにより、連通部２６を介して空気質チャンバ２２へ送られる構成とする。【選択図】図３
2007261560.tif 000002
【特許請求の範囲】
【請求項１】
空気質成分を含有した空気の固まりを車内（２）に供給する車両用空気質成分供給装置であって、
所定の前記空気質成分を有する成分保有チャンバ（２１、３１）と、
前記空気の固まりが前記車内（２）に向けて放出される放出口（２４、３３）と、
前記放出口（２４、３３）に連通する空気質チャンバ（２２、３２）と、
前記成分保有チャンバ（２１、３１）と前記空気質チャンバ（２２、３２）を連通させる連通部（２６、３５）と、
前記空気質チャンバ（２２、３２）内の前記空気質成分を含んだ気体を圧縮して空気の固まりを放出する圧縮手段（２３、３４、５４）と、
前記圧縮手段（２３、３４、５４）の動作を制御する制御手段（１００）と、を備え、
装置本体（２０、３０、４０、５０）の内部には、前記成分保有チャンバ（２１、３１）と前記空気質チャンバ（２２、３２）が前記圧縮手段（２３、３４、５４）を介在して配置され、
前記制御手段（１００）は、前記圧縮手段（２３、３４、５４）の動作を制御することにより、前記成分保有チャンバ（２１、３１）内の前記空気質成分を前記連通部（２６、３５）を介して前記空気質チャンバ（２２、３２）に流入させることを特徴とする車両用空気質成分供給装置。
【請求項２】
前記圧縮手段（２３、３４、５４）が前記空気質チャンバ（２２、３２）内の前記気体を圧縮するときに、前記空気質チャンバ（２２、３２）内の気体が前記連通部（２６、３５）を介して前記成分保有チャンバ（２１、３１）に移動することを阻止しようとする逆流防止手段（２５、３４、３６、３７、５５、５６）を備えることを特徴とする請求項１に記載の車両用空気質成分供給装置。
【請求項３】
前記逆流防止手段（２５）は、前記圧縮手段（２３）に設けられた逆流防止ドア（２５）で構成されることを特徴とする請求項２に記載の車両用空気質成分供給装置。
【請求項４】
前記圧縮手段（２３）が前記成分保有チャンバ（２１）内の前記空気質成分を含んだ気体を圧縮したとき、前記逆流防止ドア（２５）は前記連通部（２６）を開放して前記空気質成分を前記成分保有チャンバ（２１）から前記空気質チャンバ（２２）へ流入させることを特徴とする請求項３に記載の車両用空気質成分供給装置。
【請求項５】
前記連通部（３５）は、前記成分保有チャンバ（３１）に臨む第１開口（３６）と、前記空気質チャンバ（３２）に臨む第２開口（３７）とを有し、
制御手段（１００）は、前記圧縮手段（３４）の動作を制御することにより、前記第１開口（３６）および前記第２開口（３７）の開口面積が同時に全開状態とならないように調節することを特徴とする請求項２に記載の車両用空気質成分供給装置。
【請求項６】
前記圧縮手段（３４）が前記成分保有チャンバ（３１）内の前記空気質成分を含んだ気体を圧縮したとき、前記気体は前記第１開口（３６）から前記連通部（３５）に流入し、前記第２開口（３７）から流出して前記空気質チャンバ（３２）に移動することを特徴とする請求項５に記載の車両用空気質成分供給装置。
【請求項７】
前記逆流防止手段（５５、５６）は、前記圧縮手段（５４）が前記成分保有チャンバ（３１）内の前記気体を圧縮するときには前記連通部（３５）の流通を開放し、前記空気質チャンバ（３２）内の気体を圧縮するときには前記連通部（３５）の流通を閉鎖する開閉ドア（５５、５６）で構成されることを特徴とする請求項２に記載の車両用空気質成分供給装置。
【請求項８】
前記圧縮手段（３４）が前記成分保有チャンバ（３１）内の前記空気質成分を含んだ気体を圧縮して前記空気質成分が前記成分保有チャンバ（３１）から前記空気質チャンバ（２２）に流入された後、前記空気質成分が外部に流出しないように前記放出口（３３）を閉鎖するシャッタ（４１）を設けることを特徴とする請求項１〜７のいずれかに記載の車両用空気質成分供給装置。
【請求項９】
空気質成分を含有した空気の固まりを車内（２）に供給する車両用空気質成分供給装置であって、
所定の前記空気質成分を有する成分保有チャンバ（６１、７１）と、
前記空気の固まりが前記車内（２）に向けて放出される放出口（６３、７３）と、
前記放出口（６３、７３）から空気の固まりとして放出される前記空気質成分を含んだ気体を内蔵する空気質チャンバ（６２、７２）と、
前記成分保有チャンバ（６１、７１）と前記空気質チャンバ（６２、７２）を連通させる連通部（８０、８２）と、
装置本体（６０、７０）の内部を、前記成分保有チャンバ（６１、７１）と前記空気質チャンバ（６２、７２）とに分けるように配置されるとともに、前記空気質チャンバ（６２、７２）側に移動して前記空気質チャンバ（６２、７２）の容積を圧縮したり、前記前記成分保有チャンバ（６１、７１）側に移動して前記成分保有チャンバ（６１、７１）の容積を圧縮したりする動作部（６４、７４）と、を備え、
前記動作部（６４、７４）が前記成分保有チャンバ（６１、７１）側に移動することにより、前記成分保有チャンバ（６１、７１）内の前記空気質成分が、前記連通部（８０、８２）を通って前記空気質チャンバ（６２、７２）に供給されることを特徴とする車両用空気質成分供給装置。
【請求項１０】
前記動作部（６４、７４）は、前記装置本体（６０、７０）の内部に設けられたコイル（６７、７７）と磁石（６８、７８）によって発生する電磁力を駆動力として前記磁石（６８、７８）の周囲を移動するとともに、
前記磁石（６８、７８）と前記動作部（６４、７４）との間に形成された間隙（８０、８２）を前記連通部（８０、８２）とすることを特徴とする請求項９に記載の車両用空気質成分供給装置。
【請求項１１】
前記動作部（６４、７４）は、前記磁石（６８、７８）の周囲を取り巻くように配置されていることを特徴とする請求項１０に記載の車両用空気質成分供給装置。
【請求項１２】
前記連通部（８０、８２）は、前記装置本体（６０、７０）の内部において、前記放出口（６３、７３）側から見て、略中央部に設けられていることを特徴とする請求項９〜１１のいずれかに記載の車両用空気質成分供給装置。
【請求項１３】
前記連通部（８０、８２）は、前記放出口（６３、７３）と対向する位置に設けられていることを特徴とする請求項９〜１２のいずれかに記載の車両用空気質成分供給装置。
【請求項１４】
前記連通部（８２）を閉塞可能とするシール部（８３）を備え、前記シール部（８３）は、前記車内（２）への空気の固まりの放出を停止している状態において、前記空気質チャンバ（７２）と前記成分保有チャンバ（７１）の連通を閉鎖することを特徴とする請求項９〜１３のいずれかに記載の車両用空気質成分供給装置。
【請求項１５】
前記連通部（８２）を閉塞可能とするシール部（８３）を備え、前記車内（２）への空気の固まりの放出を停止している状態において、前記シール部（８３）を前記磁石（７８）に接触させて前記連通部（８２）を閉塞することによって、前記空気質チャンバ（７２）と前記成分保有チャンバ（７１）の連通を閉鎖することを特徴とする請求項１０に記載の車両用空気質成分供給装置。
【発明の詳細な説明】
【技術分野】
【０００１】
本発明は、所定の空気質成分を含有させた空気の固まりを車内に放出して当該空気質成分を拡散させる車両用空気質成分供給装置に関する。
【背景技術】
【０００２】
従来、この種の車両用空気質成分供給装置としては、ケース内の空気に振動を与えて圧縮する空気圧縮手段と、芳香成分が貯蔵されている芳香ユニットと、芳香成分をケース内に注入するために芳香ユニットとケースの間に介在させた注入ダクトと、を備え、空気圧縮手段により、ケース内に芳香成分とともに溜められた空気を圧縮して空気放出口から空気の固まりを放出する装置が知られている（例えば、特許文献１参照）。
【特許文献１】特開２００４−２９８６０７号公報（図１参照）
【発明の開示】
【発明が解決しようとする課題】
【０００３】
しかしながら、上記従来の車両用空気質成分供給装置においては、空気圧縮手段と芳香ユニットが注入ダクトによって接続された別ユニットの形態で設けられているため、装置全体が大型化してしまうという問題があった。また、芳香ユニット内の芳香成分を空気圧縮手段により圧縮される空気に混合させるためには、流入経路である注入ダクトや電磁弁の制御を必要としなければならない。
【０００４】
そこで、本発明は、上記問題点に鑑みてなされたものであり、装置全体として大きさを小型化した車両用空気質成分供給装置を提供することを目的とする。
【課題を解決するための手段】
【０００５】
上記目的を達成するために、以下に記載の技術的手段を採用する。すなわち、第１の発明は、空気質成分を含有した空気の固まりを車内（２）に供給する車両用空気質成分供給装置であって、所定の空気質成分を有する成分保有チャンバ（２１、３１）と、空気の固まりが車内（２）に向けて放出される放出口（２４、３３）と連通する空気質チャンバ（２２、３２）と、成分保有チャンバ（２１、３１）と空気質チャンバ（２２、３２）を連通させる連通部（２６、３５）と、空気質チャンバ（２２、３２）内の空気質成分を含んだ気体を圧縮して空気の固まりを放出する圧縮手段（２３、３４、５４）と、前記圧縮手段（２３、３４、５４）の動作を制御する制御手段（１００）と、を備えている。
【０００６】
さらに、装置本体（２０、３０、４０、５０）の内部には、成分保有チャンバ（２１、３１）と空気質チャンバ（２２、３２）が圧縮手段（２３、３４、５４）を介在して配置され、制御手段（１００）は、圧縮手段（２３、３４、５４）の動作を制御することにより、空気質成分を連通部（２６、３５）を介して空気質チャンバ（２２、３２）に流入させる。
【０００７】
第１の発明によれば、成分保有チャンバと空気質チャンバが圧縮手段を介在して装置本体内部に配置されていることにより、装置を小型化することができる。また、圧縮手段が動作することにより、成分保有チャンバ内の空気質成分が連通部を介して空気質チャンバへ送られるので、空気質成分を空気質チャンバ内に供給する機構を別途必要とせず、装置を構成する部品数を低減することができる。
【０００８】
第２の発明は、第１の発明において、さらに圧縮手段（２３、３４、５４）が空気質チャンバ（２２、３２）内の気体を圧縮するときに、空気質チャンバ（２２、３２）内の気体が連通部（２６、３５）を介して成分保有チャンバ（２１、３１）に移動することを阻止しようとする逆流防止手段（２５、３４、３６、３７、５５、５６）を備えていることが好ましい。
【０００９】
第２の発明によれば、空気質チャンバ内の気体の漏れを防ぎ、空気質チャンバ内の圧力が適切に高められるので、車内に向けて空気の固まりを確実に放出することができる。
【００１０】
第３の発明は、第２の発明において、さらに逆流防止手段（２５）は、圧縮手段（２３）に設けられた逆流防止ドア（２５）で構成されることが好ましい。第３の発明によれば、逆流防止手段を圧縮手段と一体的に設けることができるので、配置スペースの有効化が図れ、装置をより小型にすることができる。
【００１１】
第４の発明は、第３の発明において、さらに圧縮手段（２３）が成分保有チャンバ（２１）内の空気質成分を含んだ気体を圧縮したとき、逆流防止ドア（２５）は連通部（２６）を開放して空気質成分を前記成分保有チャンバ（２１）から前記空気質チャンバ（２２）へ流入させることが好ましい。
【００１２】
第４の発明によれば、逆流防止ドアは、空気質チャンバの気体の圧縮時に当該気体の漏れを防ぐことに加えて、成分保有チャンバの気体の圧縮時に所定の空気質成分を空気質チャンバへ供給する働きを実施することができる。
【００１３】
第５の発明は、第２の発明において、さらに連通部（３５）は、成分保有チャンバ（３１）に臨む第１開口（３６）と、空気質チャンバ（３２）に臨む第２開口（３７）とを有し、制御手段（１００）は、圧縮手段（３４）の動作を制御することにより、第１開口（３６）および第２開口（３７）の開口面積が同時に全開状態とならないように調節することが好ましい。
【００１４】
第５の発明によれば、このような圧縮手段と第１開口および第２開口の関係により、空気質チャンバの気体の圧縮時に当該気体の漏れを防いで空気の固まりを放出することや、成分保有チャンバの気体の圧縮時に所定の空気質成分を空気質チャンバへ供給することを適切に実施することができる。
【００１５】
さらに、第５の発明において、圧縮手段（３４）が成分保有チャンバ（３１）内の空気質成分を含んだ気体を圧縮したとき、気体は第１開口（３６）から連通部（３５）に流入し、第２開口（３７）から流出して空気質チャンバ（３２）に移動することが好ましい。
【００１６】
この発明によれば、成分保有チャンバ内の気体を圧縮すると同時に、次の空気の固まりを放出するために、成分保有チャンバが保有する所定の空気質成分を空気質チャンバ内に供給することができる。
【００１７】
さらに、第２の発明において、逆流防止手段（５５、５６）は、圧縮手段（５４）が成分保有チャンバ（３１）内の気体を圧縮するときには連通部（３５）の流通を開放し、空気質チャンバ（３２）内の気体を圧縮するときには連通部（３５）の流通を閉鎖する開閉ドア（５５、５６）で構成されることが好ましい。
【００１８】
この発明によれば、成分保有チャンバの気体の圧縮時に所定の空気質成分を空気質チャンバへ供給することや、空気質チャンバの気体の圧縮時に当該気体の漏れを防いで空気の固まりを放出することを適切に実施することができる。
【００１９】
さらに、上記すべての発明のいずれかにおいて、圧縮手段（３４）が成分保有チャンバ（３１）内の空気質成分を含んだ気体を圧縮して空気質成分が成分保有チャンバ（３１）から空気質チャンバ（２２）に流入された後、当該空気質成分が外部に流出しないように放出口（３３）を閉鎖するシャッタ（４１）を設けることが好ましい。
【００２０】
この発明によれば、補充された空気質成分が空気質チャンバから外部に漏れることを低減することができる。
【００２１】
第６の発明は、空気質成分を含有した空気の固まりを車内（２）に供給する車両用空気質成分供給装置であって、所定の当該空気質成分を有する成分保有チャンバ（６１、７１）と、空気の固まりが車内（２）に向けて放出される放出口（６３、７３）と、放出口（６３、７３）から空気の固まりとして放出される当該空気質成分を含んだ気体を内蔵する空気質チャンバ（６２、７２）と、成分保有チャンバ（６１、７１）と空気質チャンバ（６２、７２）を連通させる連通部（８０、８２）と、装置本体（６０、７０）の内部を、成分保有チャンバ（６１、７１）と空気質チャンバ（６２、７２）に分けるように配置されるとともに、空気質チャンバ（６２、７２）側に移動して空気質チャンバ（６２、７２）の容積を圧縮したり、成分保有チャンバ（６１、７１）側に移動して成分保有チャンバ（６１、７１）の容積を圧縮したりする動作部（６４、７４）と、を備えている。
【００２２】
さらに、当該動作部（６４、７４）が成分保有チャンバ（６１、７１）側に移動することにより、成分保有チャンバ（６１、７１）内の当該空気質成分が、連通部（８０、８２）を通って空気質チャンバ（６２、７２）に供給される。
【００２３】
この発明によれば、装置を小型化することができる。さらに、動作部が放成分保有チャンバ側に移動することにより、成分保有チャンバ内の空気質成分が連通部を介して空気質チャンバへ送られるので、空気質成分を空気質チャンバ内に供給する機構を別途必要とせず、装置を構成する部品数を低減することができる。
【００２４】
第７の発明は、第６の発明において、動作部（６４、７４）は、装置本体（６０、７０）の内部に設けられたコイル（６７、７７）と磁石（６８、７８）によって発生する電磁力を駆動力として磁石（６８、７８）の周囲を移動するとともに、当該磁石（６８、７８）と動作部（６４、７４）との間に形成された間隙（８０、８２）を連通部（８０、８２）とすることが好ましい。
【００２５】
この発明によれば、連通部を磁石と動作部との間に形成された間隙に設けることにより、配置スペースの有効化が図れ、装置をより小型にすることができる。
【００２６】
さらに、第７の発明において、動作部（６４、７４）は、磁石（６８、７８）の周囲を取り巻くように配置されていることが好ましい。この発明によれば、動作部が磁石の周囲に配置されることにより、電磁力の働きによる動作部の移動をより安定したものにすることができる。
【００２７】
さらに第６発明以下の上記発明のいずれかにおいて、連通部（８０、８２）は、装置本体（６０、７０）の内部において、放出口（６３、７３）側から見て、略中央部に設けられていることが好ましい。この発明によれば、連通部が装置全体の略中央に配置されることにより、成分保有チャンバから連通部を通って供給される空気質成分を空気質チャンバ全体に行き渡らせることができる。
【００２８】
さらに第６発明以下の上記発明のいずれかにおいて、連通部（８０、８２）は、放出口（６３、７３）と対向する位置に設けられていることが好ましい。この発明によれば、連通部と放出口が対向する位置関係にあることにより、連通部から流入した空気質成分をより確実に放出口近くに集めることができ、安定した空気質成分濃度を有する空気の固まりを提供することができる。
【００２９】
さらに第６発明以下の上記発明のいずれかにおいて、連通部（８２）を閉塞可能とするシール部（８３）を備え、シール部（８３）は、車内（２）への空気の固まりの放出を停止している状態において、空気質チャンバ（７２）と成分保有チャンバ（７１）の連通を閉鎖することが好ましい。
【００３０】
この発明によれば、車内へ空気の固まりを放出しない状態のときに、空気質チャンバと成分保有チャンバの連通を閉鎖することにより、成分保有チャンバ内の所定の空気質成分が、装置本体の外部に漏れることを低減できる。また、保有する空気質成分を無駄に使用することがないので、空気質成分を補充したり、空気質成分内蔵のカートリッジなどを交換したりすることを低減することができる。
【００３１】
さらに第７の発明において、連通部（８２）を閉塞可能とするシール部（８３）を備え、車内（２）への空気の固まりの放出を停止している状態において、シール部（８３）を磁石（７８）に接触させて連通部（８２）を閉塞することによって、空気質チャンバ（７２）と成分保有チャンバ（７１）の連通を閉鎖することが好ましい。この発明によれば、シール部を例えば弁のような簡単な形状によって構成することができる。
【００３２】
なお、上記各手段の括弧内の符号は、後述する実施形態の具体的手段との対応関係を示す一例である。
【発明を実施するための最良の形態】
【００３３】
（第１実施形態）
以下に、本発明の第１実施形態を図１〜図３を用いて説明する。図１は、本実施形態における車両用空気質成分供給装置１０、１１、１２を車内に配置する箇所を示した概念図である。図２は、本実施形態における車両用空気質成分供給装置２０を制御する構成を示したブロック図である。図３（ａ）は、車両用空気質成分供給装置２０において空気の固まりが放出された時の内部状態を示した概念図であり、図３（ｂ）は、空気質成分が空気質チャンバ２２に供給されたときの内部状態を示した概念図である。
【００３４】
本実施形態における空気の固まりは、空気質チャンバ２２に貯められた流体が圧縮されることにより、空気質チャンバ２２に形成された放出口２４から押し出されて流体の塊となって放出されるものを意図している。空気の固まりの形態としては、例えば、渦輪状、球体状などの形状の塊となって放出されるもの全般をいう。また、この空気の固まりは、所定の空気質成分が含有された状態でその空気質成分を感知させたい車内の乗員、または空間に向けて放出される。そして、車内の乗員、または空間にいる乗員の感知可能な範囲内で空気の固まりを拡散させることにより、所定の空気質成分を乗員に提供するものである。
【００３５】
このように、車内の乗員に対して所定の空気質成分を保持させた空気の固まりを放出して供給することにより、車内特有のエアコン装置による空調気流の影響を受けにくい空気質成分の搬送が行われる。さらに、乗員特有の環境である、例えば、渋滞、信号待ちなどの交通状況、高速走行、市街地走行などの運転状況、これらの状況に起因する乗員の感情や心理などに応じた空気質成分の搬送が、実施されることになる。
【００３６】
図１に示す車両用空気質成分供給装置１０、１１、１２は、自家用または業務用の車両に広く用いられ、所定の空気質成分を空気の固まりに含有させ、乗員に対してこの空気の固まりを供給するものである。そして、車両用空気質成分供給装置１０、１１、１２の内部構成は図３に示す車両用空気質成分供給装置２０と同様である。図１に示すように、車両用空気質成分供給装置１０、１１、１２は、自動車１の車内２に存在する乗員３および４に対して空気の固まりを的確に放出できる位置に設けられている。
【００３７】
車両用空気質成分供給装置１０の装置本体は、空気の固まりを車内２に向けて放出可能なようにインストルメントパネル１３内に設けられている。なお、車両用空気質成分供給装置１０は、インストルメントパネル１３内に通常配置されているエアコン装置（図示せず）に近接して設けてもよいし、エアコン装置と一体化するように構成してもよい。
【００３８】
車両用空気質成分供給装置１０の放出口から放出された空気の固まりは、インストルメントパネル１３に形成されたグリル吹出口を経由して前席５に座っている乗員３の顔付近に向けて放出される。そして、この空気の固まりが乗員３の顔や肩などに当たると、空気の固まりが崩れるとともに含有されていた空気質成分が拡散領域７を形成するように拡散されて乗員３の鼻や口から吸入され体内に取り込まれる。
【００３９】
車両用空気質成分供給装置１１の装置本体は、車内２の前席側天井部分に形成されるオーバーヘッドモジュール９内に設けられている。この車両用空気質成分供給装置１１の放出口から放出された空気の固まりは、オーバーヘッドモジュール９に形成された吹出口を経由して前席５に座っている乗員３の顔付近に向けて放出される。そして、この空気の固まりが乗員３の顔や頭などに当たると、空気の固まりが崩れるとともに含有されていた空気質成分が拡散領域７を形成するように拡散されて乗員３の鼻や口から吸入され体内に取り込まれる。
【００４０】
車両用空気質成分供給装置１２の装置本体は、車内２の後席側天井部に設けられている。この車両用空気質成分供給装置１２の放出口から放出された空気の固まりは、後席６に座っている乗員４の顔付近に向けて放出される。そして、この空気の固まりが乗員４の顔や頭などに当たると、空気の塊が崩れるとともに含有されていた空気質成分が拡散領域８を形成するように拡散されて乗員４の鼻や口から吸入され体内に取り込まれる。
【００４１】
本実施形態においては、供給する所定の空気質成分は、乗員に対して快適性や覚醒効果を感じさせる因子である、例えば、水分を揮発させた湿度成分、香料を揮発させた芳香成分、酸素成分、アロマ成分、コラーゲン成分、抗アレルゲン成分、イオン成分、冷気成分、暖気成分などを採用することができる。このような空気質成分のうちの少なくとも一つは、装置本体の成分保有チャンバ２１にあらかじめ保有されているものとする。
【００４２】
空気質成分として湿度成分を使用した場合は、乗員は、鼻腔内の粘膜の乾燥や、のどの粘膜の乾燥が改善されることになる。また、空気質成分として芳香成分、アロマ成分、またはイオン成分を使用した場合は、乗員は、鼻から当該成分を吸い込むことでリラックスした気分になることが予測できる。
【００４３】
また、空気質成分として芳香成分、酸素成分、冷気成分を使用した場合は、乗員は、鼻からこれらの成分を吸い込むことで眠気が解消されたり、覚醒効果を得られたりすることができる。また、乗員は、寒いときや暑いときに空気質成分としての冷気成分や暖気成分を吸い込むと、局所的に暖房効果や冷房効果を得る。また、他の空気質成分として、化粧水などを揮発化して空気の固まりに含有させて放出する構成とした場合は、湿度成分と同様に肌の保湿を促し、乗員の健康、美容に効果を発揮することになる。
【００４４】
なお、車両用空気質成分供給装置１０、１１、１２の装置本体を構成する筐体は、扁平状に形成されることにより、インストルメントパネル１３内、オーバーヘッドモジュール９内、および車内２の天井部内などの狭い空間に配することが可能である。
【００４５】
このように車内２に配置された車両用空気質成分供給装置は、図２に示すような構成により制御されている。車両用空気質成分供給装置１０、１１、１２および２０は、制御手段としての空気質成分供給ＥＣＵ１００により各種信号に基づいて制御されている。空気質成分供給ＥＣＵ１００は、車両統合ＥＣＵ１０２や操作手段１０１からの信号に対して種々の解析を行い、空気の固まりを放出するタイミング、空気の固まりの放出速度などの放出条件を決定するものである。
【００４６】
この空気質成分供給ＥＣＵ１００は、車両用空気質成分供給装置２０に対してこの決定に基づいた制御を行う。この制御は、圧縮手段２３の動作の制御であり、例えば、成分保有チャンバ２１に含有されている所定の空気質成分を空気質チャンバ２２に送り込むタイミングや、空気質チャンバ２２に貯えられた空気質成分を含有した気体を圧縮して放出口２４から押し出すタイミングの制御である。
【００４７】
また、空気質成分供給ＥＣＵ１００は、車両用空気質成分供給装置２０の圧縮手段２３に対して、空気質チャンバ２２内の空気を圧縮する圧縮力の大きさ、圧縮力の起動を制御する。例えば、圧縮力の大きさを制御することで、空気の固まりをどの乗員に向けて放出するか、どこまで空気の固まりを届かせるかを制御し、圧縮力の起動を制御することで、空気の固まりを連続的に放出するか、所定時間の間隔をあけて間欠的に放出するか、などを制御することができる。
【００４８】
また、図１に示すように車内２に車両用空気質成分供給装置が複数個配置されている場合には、どの車両用空気質成分供給装置を起動するか、または複数の車両用空気質成分供給装置を同時に起動させるかを制御することができる。
【００４９】
車両統合ＥＣＵ１０２は、車両の各機能部品の作動情報を入手して空気質成分供給ＥＣＵ１００に通信する機能を有している。各機能部品の作動情報としては、例えば、車速情報、ブレーキ情報、車間センサ情報、ウィンドウの開閉情報などである。車両統合ＥＣＵ１０２は、これらの情報を空気質成分供給ＥＣＵ１００に送信する。
【００５０】
空気質成分供給ＥＣＵ１００は、車速が所定値以下のときや、単位時間当たりのブレーキング回数が所定値以上のときや、車間センサによる先行車両との間隔が所定値以下のときなどの情報を認識したときは、渋滞しているとみなして、前述のように、覚醒効果を供給するために空気質成分として成分保有チャンバ２１にあらかじめ充填しておいた芳香成分、酸素成分、または冷気成分を含有させた空気の固まりを運転者に向かって放出する制御を行ったり、リラックス効果を与えるために空気質成分としてあらかじめ成分保有チャンバ２１に充填しておいた芳香成分、アロマ成分、イオン成分を含有させた空気の固まりを運転者に向かって放出する制御を行ったりする。
【００５１】
また、車両統合ＥＣＵ１０２により車速情報として、例えば８０ｋｍ以上の値が所定時間以上継続して得られた場合には、空気質成分供給ＥＣＵ１００は、高速道路などを走行しているとみなして、居眠り運転の未然防止のため、空気質成分としてあらかじめ成分保有チャンバ２１に充填しておいた覚醒効果のある芳香成分、酸素成分、または冷気成分を所定分量、空気質チャンバ２２に送り込み、空気の固まりに含有させて運転者に向かって放出する制御を行う。
【００５２】
また、車両統合ＥＣＵ１０２がウィンドウ開閉情報としてウィンドウが開放された状態であることを空気質成分供給ＥＣＵ１００に送信すると、空気質成分供給ＥＣＵ１００は、車内に外風が吹き込んでいると認識して、所定時間またはウィンドウが閉状態であるという情報を入手するまで、空気の固まりの放出を停止するインターロック制御を行う。ウィンドウが開状態であるときは、車内２に外風が舞っているため、空気の固まりを放出しても所定の乗員または空間に向けて拡散させることが難しいので、積極的にその放出を制限するものである。
【００５３】
この操作手段１０１は、乗員自らが所定の空気質成分を得たいと思ったときに、強制的に車両用空気質成分供給装置を起動させるためのものであり、例えば、インストルメントパネル１３の乗員が操作しやすい場所にスイッチ、またはボタンの形態で構成されている。操作手段１０１は、車両空気質成分供給装置２０の起動、空気質チャンバ２２内の空気を圧縮する圧縮力の大きさの制御、車内２のどの空間、またはどの乗員に向けて空気の固まりを放出するかの制御を命令することができる手段を有する構成である。
【００５４】
次に、車両用空気質供給装置２０の内部構成について図３（ａ）および（ｂ）を用いて説明する。図３（ａ）および（ｂ）に示すように、車両用空気質成分供給装置２０は、装置本体を構成する筐体内の一方側の端面に空気の固まりの放出口２４を有し、放出口２４と連通するように筐体内の一方側に設けられた空気質チャンバ２２と、他方側に設けられ所定の空気質成分を有する成分保有チャンバ２１と、成分保有チャンバ２１と空気質チャンバ２２を連通させる連通部２６と、空気質チャンバ２２の容積を押し縮めて空気の固まりを放出する圧縮手段２３と、を備えた構成である。
【００５５】
装置本体の内部には、成分保有チャンバ２１と空気質チャンバ２２が圧縮手段２３を介在して配置されている。成分保有チャンバ２１内に保有されている空気質成分は、圧縮手段２３が動作することにより、連通部２６を介して空気質チャンバ２２へ送られる構成とする。なお、装置本体の材質は、特に限定するものでないが、充満される空気質成分が漏れないように樹脂、金属など気密性をある程度保持できる材質とすることが好ましい。
【００５６】
成分保有チャンバ２１は、所定の空気質成分があらかじめ貯蔵されている空間であり、圧縮手段２３によってその容積は可変するように構成されている。空気質成分は揮発性の状態で成分保有チャンバ２１内に充満しており、通常は、圧縮手段２３によって成分保有チャンバ２１内に閉じ込められている。
【００５７】
空気質チャンバ２２は、放出口２４から取り込んだ車内２の空気が充満されている空間であり、その容積は圧縮手段２３によって可変され、容積内の気体が圧縮されると、放出口２４から車内２に向けて空気の固まりが放出されることになる。圧縮手段２３の動作によっては、所定の空気質成分が成分保有チャンバ２１から連通部２６を通じて空気質チャンバ２２内に流入する。
【００５８】
圧縮手段２３は、前後に移動する板状部材を備えており、空気質成分供給ＥＣＵ１００によりこの板状部材が成分保有チャンバ２１側または空気質チャンバ２２に移動されることによって、成分保有チャンバ２１内の気体または空気質チャンバ２２内の気体を圧縮するものである。また、圧縮手段２３は、一端が枢支され、連通部２６を開閉する逆流防止ドア２５を備えている。
【００５９】
連通部２６は、圧縮手段２３に設けられた開口によって成分保有チャンバ２１と空気質チャンバ２２が連通するような形態で構成されており、逆流防止ドア２５によってその開口面積が調整自在である。
【００６０】
逆流防止ドア２５は、圧縮手段２３が空気質成分供給ＥＣＵ１００により空気質チャンバ２２内の気体を圧縮しようと図３（ａ）に示す一点鎖線の矢印の向き、つまり、放出口２４に向かう向きに移動されるときに、空気質チャンバ２２内の空気質成分を含む気体が連通部２６を介して成分保有チャンバ２１に移動することを阻止するために、連通部２６を閉鎖する逆流防止手段である。
【００６１】
このとき、空気質チャンバ２２内の気体は、その容積の瞬間的な減少によって放出口２４から空気の固まりとなって車内２に向けて放出される（以上、図３（ａ）参照）。なお、逆流防止ドア２５は、圧縮手段２３に対して空気質チャンバ２２側に配置され、開くときはドア本体が空気質チャンバ２２側に移動するように構成されている。
【００６２】
次に、空気の固まりを放出した後には、圧縮手段２３は、空気質成分供給ＥＣＵ１００により成分保有チャンバ２１内の気体を圧縮するために図３（ｂ）に示す一点鎖線の矢印の向きに移動する。このとき、成分保有チャンバ２１内の圧力が高くなり、それとともに逆流防止ドア２５は枢支軸を中心としてドア本体が空気質チャンバ２２側に移動するように開かれ、連通部２６が開通することになる。そして、成分保有チャンバ２１内に保有された所定の空気質成分は、図３（ｂ）に示す破線の矢印の向きのように開通された連通部２６を通って成分保有チャンバ２１内から空気質チャンバ２２内に流入することになる（以上、図３（ｂ）参照）。
【００６３】
車両用空気成分供給装置２０は、以上のような図３（ａ）と図３（ｂ）のそれぞれで示した圧縮手段２３の制御を繰り返し行うことにより、空気質成分を空気質チャンバ２２内に供給する機構を別途必要としない簡潔な構成でありながら、乗員に対する空気の固まりの供給を継続的に実施することができる。
【００６４】
このように本実施形態の車両用空気質成分供給装置は、装置本体の内部に、成分保有チャンバ２１と空気質チャンバ２２が圧縮手段２３を介在して配置され、成分保有チャンバ２１内に保有されている空気質成分は、圧縮手段２３が動作することにより、連通部２６を介して空気質チャンバ２２へ送られる構成である。
【００６５】
この構成によれば、成分保有チャンバ２１、空気質チャンバ２２、および圧縮手段２３が本体内部で一体化されることにより、装置を小型化することができ、高さ方向寸法や横方向の寸法に制限がある場所である、インストルメントパネル１３内、オーバーヘッドモジュール９内、または車内２の後席側天井部に設置する上で有用である。また、圧縮手段の動作により、成分保有チャンバ２１内の空気質成分が連通部２６を介して空気質チャンバ２２へ送られるので、空気質成分を空気質チャンバ２２内に供給する機構を別途必要とせず、構成部品を低減することができる。
【００６６】
また、圧縮手段２３が空気質チャンバ２２内の気体を圧縮するときに、空気質チャンバ２２内の気体が連通部２６を介して成分保有チャンバ２１に移動することを阻止しようとする逆流防止ドア２５を備えていることが好ましい。この構成を採用した場合には、空気質チャンバ２２内の気体の漏れを防ぐとともに、空気質チャンバ２２内の圧力を適切に高めることができ、安定した空気の固まりの放出を提供できる。
【００６７】
また、逆流防止ドア２５を圧縮手段２３に設ける構成とすることが好ましい。この構成を採用した場合には、配置スペースの有効化が図れ、装置本体をより小型にすることができる。
【００６８】
また、圧縮手段２３が成分保有チャンバ２１内の空気質成分を含んだ気体を圧縮したとき、逆流防止ドア２５は、空気質成分を成分保有チャンバ２１から空気質チャンバ２２へ流入させるように連通部２６を開放することが好ましい。この構成を採用した場合には、空気質チャンバ２２の気体の圧縮時に当該気体の漏れを防ぐことに加えて、成分保有チャンバ２１の気体の圧縮時に空気質成分を空気質チャンバ２２へ供給する働きを有する逆流防止ドア２５を提供できる。
【００６９】
（第２実施形態）
第２実施形態の車両用空気質供給装置３０の内部構成について図４（ａ）、（ｂ）、（ｃ）、および（ｄ）を用いて説明する。なお、車両用空気質成分供給装置３０の車内２における配置箇所は、図１を用いた第１実施形態における説明と同様である。また、車両用空気質成分供給装置３０の制御構成についても、図２を用いた第１実施形態における説明と同様である。
【００７０】
図４の各図に示すように、車両用空気質成分供給装置３０は、装置本体を構成する筐体内の一方側の端面に空気の固まりの放出口３３を有し、放出口３３と連通するように筐体内の一方側に設けられた空気質チャンバ３２と、他方側に設けられ所定の空気質成分を有する成分保有チャンバ３１と、成分保有チャンバ３１と空気質チャンバ３２を連通させる連通部３５と、空気質チャンバ３２の容積を押し縮める圧縮手段３４と、を備えた構成である。
【００７１】
装置本体の内部には、成分保有チャンバ３１と空気質チャンバ３２が圧縮手段３４を介在して配置されている。成分保有チャンバ３１内に保有されている空気質成分は、圧縮手段３４が動作することにより、連通部３５を介して空気質チャンバ３２へ送られる構成とする。
【００７２】
成分保有チャンバ３１は、所定の空気質成分があらかじめ貯蔵されている空間であり、圧縮手段３４によってその容積は可変するように構成されている。空気質成分は揮発性の状態で成分保有チャンバ３１内に充満しており、通常は、圧縮手段３４によって成分保有チャンバ３１内に閉じ込められている。
【００７３】
空気質チャンバ３２は、放出口３３から取り込んだ車内２の空気が充満されている空間であり、その容積は圧縮手段３４によって可変され、容積内の気体が圧縮されると、放出口３３から車内２に向けて空気の固まりが放出されることになる。空気質チャンバ３２内には、圧縮手段３４の動作によっては、所定の空気質成分が成分保有チャンバ３１から連通部３５を通じて流入する。
【００７４】
圧縮手段３４は、前後方向に所定の長さを有し、装置内部を前後方向に分断する横方向および縦方向寸法を有する前後に移動する筐体である。装置内部は、圧縮手段３４によって前後に２分割され、前部に空気質チャンバ３２が構成され、後部に成分保有チャンバ３１が構成されている。この筐体が空気質成分供給ＥＣＵ１００により成分保有チャンバ３１側または空気質チャンバ３２側に移動されることによって、成分保有チャンバ３１内の気体または空気質チャンバ３２内の気体を圧縮するものである。
【００７５】
連通部３５は、装置本体の外側に形成され成分保有チャンバ３１と空気質チャンバ３２とを連通させる通路であり、成分保有チャンバ３１に臨む第１開口３６と、空気質チャンバ３２に臨む第２開口３７とを有している。
【００７６】
図４（ａ）は、空気の固まりを放出した直後の車両用空気質成分供給装置３０の内部状態を示した概念図であり、このとき、空気質チャンバ３２は圧縮手段３４によってその容積が最も小さい状態に圧縮されている。第１開口３６は圧縮手段３４によって閉塞されていないが、第２開口３７は閉塞されているため、連通部３５の流通は閉鎖されている状態である。
【００７７】
次に、圧縮手段３４は、空気質成分供給ＥＣＵ１００による制御によって、成分保有チャンバ３１内の気体を圧縮するために図４（ｂ）に示す一点鎖線の矢印の向きに、つまり、第１開口３６を閉塞する方向に移動する。このとき、成分保有チャンバ３１内の圧力が高くなり、圧縮手段３４は第１開口３６および第２開口３７のそれぞれの開口面積を全閉状態とならない程度に閉じるので、成分保有チャンバ３１内の所定の揮発性を有する空気質成分は、破線の矢印の向きのように、第１開口３６から連通部３５に押し出され、連通部３５を通って第２開口３７から空気質チャンバ３２内に流入することになる。
【００７８】
このようにして成分保有チャンバ３１内の気体を圧縮すると同時に、成分保有チャンバ３１が保有する所定の空気質成分を空気質チャンバ３２内に供給して、次の空気の固まりを放出するために準備することができる。また、同時に、空気質チャンバ３２内の圧力が低下するので、放出口３３から装置本体の外部の空気（車内２の空気）が空気質チャンバ３２内に取り込まれることになる（以上、図４（ｂ）参照）。
【００７９】
図４（ｃ）は、空気の固まりを放出する動作を行う前の内部状態を示した概念図であり、このとき、成分保有チャンバ３１は圧縮手段３４によってその容積が最も小さい状態に圧縮されている。第２開口３７は圧縮手段３４によって閉塞されていないが、第１開口３６は閉塞されているため、連通部３５の流通は閉鎖されている状態である。
【００８０】
さらに、圧縮手段３４によって空気の固まりが放出された時の内部の状態を説明する。圧縮手段３４は、空気質成分供給ＥＣＵ１００による制御によって、空気質チャンバ３２内の気体を圧縮しようと図４（ｄ）に示す一点鎖線の矢印の向き、つまり、放出口３３に向かう向きに移動する。このとき、空気質チャンバ３２内の気体は、その容積の瞬間的な減少によって放出口３３から空気の固まりとなって車内２に向けて放出される。そして、空気の固まりは、車内２における空気の固まりを供給したい場所や乗員の付近で拡散した、所定の空気質成分が乗員に対して提供されることになる。このとき、第１開口３６および第２開口３７の開口面積は、ともに全開状態とならない程度にその一部が閉鎖される状態である。
【００８１】
車両用空気質成分供給装置３０は、以上のような図４（ａ）〜（ｄ）のそれぞれで示した圧縮手段３４の制御を繰り返し行うことにより、空気質成分を空気質チャンバ３２内に供給する機構を別途必要としない簡潔な構成でありながら、乗員に対する空気の固まりの供給を継続的に実施することができる。この一連の圧縮手段３４の制御ステップにおいて、第１開口３６および第２開口３７の開口面積は、圧縮手段３４の動作によって同時に全開状態とならないように調節されている。
【００８２】
次に、本実施形態におけるもう一つの車両用空気質供給装置４０は、図５（ａ）、（ｂ）、（ｃ）、および（ｄ）に示した内部構成を有しているが、その構成は、車両用空気質供給装置３０に対して、放出口３３の開口を開閉するシャッタ４１を備えている点のみが相違している。
【００８３】
車両用空気質供給装置４０は、図５（ｂ）、（ｃ）において、空気質成分が成分保有チャンバ３１から流出して空気質チャンバ３２に流入した状態の図４（ｂ）、（ｃ）に対して、空気の固まりの放出に必要な量の車内２の空気が空気質チャンバ３２内に取り込まれた後に、空気が車内２に漏れないように、さらに放出口３３をシャッタ４１によって閉鎖する制御を行うものである。以下に、空気の固まりの放出における一連のステップの中で、車両用空気質供給装置３０に対する相違点のみについて図５（ｂ）、（ｃ）を用いて説明する。
【００８４】
具体的には、図５（ｂ）、（ｃ）において、圧縮手段３４は、空気の固まりを放出した後の状態（図５（ａ）参照）から、空気質成分供給ＥＣＵ１００によって成分保有チャンバ３１内の気体を圧縮するために図５（ｂ）に示す一点鎖線の矢印の向きに移動する。このとき、成分保有チャンバ３１内の圧力が高くなり、圧縮手段３４は第１開口３６および第２開口３７のそれぞれの開口面積を全閉状態とならない程度に閉じるので、成分保有チャンバ３１内の所定の揮発性を有する空気質成分は、破線の矢印の向きのように、第１開口３６から連通部３５に押し出され、連通部３５を通って第２開口３７から空気質チャンバ３２内に流入することになる。また、同時に、空気質チャンバ３２内の圧力が低下するので、放出口３３から装置本体の外部の空気（車内２の空気）が空気質チャンバ３２内に取り込まれることになる。
【００８５】
さらに、空気質成分供給ＥＣＵ１００は、後の空気の固まりを放出するステップ（図５（ｄ）参照）において必要とする空気の量が車内２から補充された時点でシャッタ４１を動作させて放出口３３を閉鎖する制御を行う（以上、図５（ｂ）、（ｃ）参照）。
【００８６】
このように本実施形態の空気質成分供給ＥＣＵ１００は、圧縮手段３４の動作を制御することにより、連通部３５の第１開口３６および第２開口３７の各開口を同時に全開状態とならないように調節することが好ましい。
【００８７】
この構成を採用した場合には、空気質チャンバ３２の気体の圧縮時に当該気体の漏れを防いで空気の固まりを放出することや、成分保有チャンバ３１の気体の圧縮時に所定の空気質成分を空気質チャンバ３２へ供給することを適切に実施することができる。
【００８８】
また、空気質成分供給ＥＣＵ１００は、圧縮手段３４が成分保有チャンバ３１内の空気質成分を含んだ気体を圧縮して空気質成分が成分保有チャンバ３１から空気質チャンバ２２へ流入した後、空気質成分が外部に流出しないようにシャッタ４１によって放出口３３を閉鎖することが好ましい。この制御を採用した場合には、供給された空気質成分が空気質チャンバ３２から漏れることを低減することができる。
【００８９】
（第３実施形態）
第３実施形態の車両用空気質供給装置５０の内部構成について図６（ａ）および（ｂ）を用いて説明する。なお、車両用空気質成分供給装置５０の車内２における配置箇所は、図１を用いた第１実施形態における説明と同様である。また、車両用空気質成分供給装置５０の制御構成についても、図２を用いた第１実施形態における説明と同様である。
【００９０】
図６の各図に示すように、車両用空気質成分供給装置５０は、装置本体を構成する筐体内の一方側の端面に空気の固まりの放出口３３を有し、放出口３３と連通するように筐体内の一方側に設けられた空気質チャンバ３２と、他方側に設けられ所定の空気質成分を有する成分保有チャンバ３１と、成分保有チャンバ３１と空気質チャンバ３２を連通させる連通部３５と、空気質チャンバ３２の容積を押し縮める圧縮手段５４と、を備えた構成である。
【００９１】
装置本体の内部には、成分保有チャンバ３１と空気質チャンバ３２が圧縮手段５４を介在して配置されている。成分保有チャンバ３１内に保有されている空気質成分は、圧縮手段５４が動作することにより、連通部３５を介して空気質チャンバ３２へ送られる構成とする。
【００９２】
成分保有チャンバ３１は、所定の空気質成分があらかじめ貯蔵されている空間であり、圧縮手段５４によってその容積は可変するように構成されている。空気質成分は揮発性の状態で成分保有チャンバ３１内に充満しており、通常は、圧縮手段５４によって成分保有チャンバ３１内に閉じ込められている。
【００９３】
空気質チャンバ３２は、放出口３３から取り込んだ車内２の空気が充満されている空間であり、その容積は圧縮手段５４によって可変され、容積内の気体が圧縮されると、放出口３３から車内２に向けて空気の固まりが放出されることになる。空気質チャンバ３２内には、圧縮手段５４の動作によっては、所定の空気質成分が成分保有チャンバ３１から連通部３５を通じて流入する。
【００９４】
圧縮手段５４は、装置本体の内部を横断する板状部材５２と、この板状部材５２に設けられる磁石５１と、板状部材５２および磁石５１の周囲に取り巻くように設けられるコイル５３と、から構成されており、例えば、ムービングコイル方式で作動される。磁石５１とコイル５３は、成分保有チャンバ３１および空気質チャンバ３２を形成する装置本体の樹脂部材によって絶縁されている。板状部材５２は、例えば、硬質の材料からなる薄板で構成するのが望ましい。これらの材料で形成することで板状部材５２の作動音を低減することができる。
【００９５】
磁石５１は、この板状部材５２に接着により固定されたり、あるいは板状部材５２に埋め込まれて一体化されたりする構成としてもよい。このような圧縮手段５４の構成では、板状部材５２とともに磁石５１を可動させるようにしているので、反復される往復運動に対して強い耐久性に優れた可動構成物を得ることができる。
【００９６】
装置内部は、板状部材５２によって前後に２分割され、前部に空気質チャンバ３２が構成され、後部に成分保有チャンバ３１が構成されている。板状部材５２が、空気質成分供給ＥＣＵ１００の制御により磁力と電磁力の働きで成分保有チャンバ３１側または空気質チャンバ３２側に移動することによって、成分保有チャンバ３１内の気体または空気質チャンバ３２内の気体を圧縮することができる。
【００９７】
圧縮手段５４の動作について説明する。車載バッテリなどから圧縮手段５４に電圧を印加されると、電流がコイル５２に流れて板状部材５２を前後方向のいずれかに押し出す電磁力が働く。さらに印加する電圧を適切に制御することにより、板状部材５２を瞬間的に前後方向に移動させることができる。この板状部材５２の移動により、空気質チャンバ３２の容積は瞬間的に小さくなるので、この容積内に充満していた空気質成分を含んだ気体は圧縮されて放出口３３から外部に瞬時に放出されることになる。この一連の動作を瞬時に起こすことで、放出口３３から放出される空気質成分を含んだ空気は、流体の塊、例えば、渦輪、球体状の塊、となって車内２に放出されることになる。
【００９８】
連通部３５は、装置本体の外側に形成され成分保有チャンバ３１と空気質チャンバ３２とを連通させる通路であり、成分保有チャンバ３１に臨む第１開口３６と、空気質チャンバ３２に臨む第２開口３７とを有している。また、開閉ドア５５および５６は逆流防止手段であり、開閉ドア５５は第１開口３６を開閉し、開閉ドア５６は第２開口３７を開閉する。
【００９９】
次に、車両用空気質成分供給装置５０の動作について説明する。圧縮手段５４は、空気質成分供給ＥＣＵ１００による制御によって、空気の固まりを放出する前に、成分保有チャンバ３１内の気体を圧縮するために図６（ａ）に示す一点鎖線の矢印の向きに移動する。このとき、成分保有チャンバ３１内の圧力が高くなり、それとともに開閉ドア３６および３７は枢支軸を中心として開かれ、第１開口３６および第２開口３７がともに開放し、連通部３５が開通することになる。そして、成分保有チャンバ３１内に保有された所定の空気質成分は、図６（ａ）に示す破線の矢印の向きのように開通された連通部３５を通って成分保有チャンバ３１内から空気質チャンバ３２内に流入することになる（以上、図６（ａ）参照）。
【０１００】
次に、空気の固まりを放出するときの車両用空気質成分供給装置５０の動作を説明する。空気圧縮手段５４が、空気質成分供給ＥＣＵ１００による制御によって、空気質チャンバ３２内の気体を圧縮しようと図６（ｂ）に示す一点鎖線の矢印の向き、つまり、放出口３３に向かう向きに移動すると、空気質チャンバ３２内の気体は、その容積の瞬間的な減少によって放出口３３から空気の固まりとなって車内２に向けて放出される。そして、空気の固まりは、車内２における空気の固まりを供給したい場所や乗員の付近で拡散した、所定の空気質成分が乗員に対して提供されることになる。さらにこのとき、開閉ドア３６および３７は、空気質チャンバ３２内の空気質成分を含む気体が連通部３５を介して成分保有チャンバ３１に移動することを阻止するために、第１開口３６および第２開口３７をともに閉鎖するように制御される（以上、図６（ｂ）参照）。
【０１０１】
車両用空気質成分供給装置５０は、以上のような図６（ａ）と図６（ｂ）を用いて説明した圧縮手段５４の制御を繰り返し行うことにより、空気質成分を空気質チャンバ３２内に供給する機構を別途必要としない簡潔な構成で、乗員に対する空気の固まりの供給を継続的に実施することができる。また、車両用空気質成分供給装置５０は、電磁力を用いて圧縮手段を駆動するので、空気の固まりの連続的な発生や、発生タイミングのより細かな制御を実施することができる。
【０１０２】
このように本実施形態の車両用空気質成分供給装置５０は、圧縮手段５４が成分保有チャンバ３１内の気体を圧縮するときには連通部３５の流通を開放し、空気質チャンバ３２内の気体を圧縮するときには連通部３５の流通を閉鎖する開閉ドア５５、５６を備えている。
【０１０３】
この構成を採用した場合には、成分保有チャンバ３１の気体の圧縮時に所定の空気質成分を空気質チャンバ３２へ必要量供給することや、空気質チャンバ３２の気体の圧縮時に当該気体の漏れを防いで空気の固まりを確実に放出することができる。
【０１０４】
（第４実施形態）
第４実施形態の車両用空気質供給装置６０の内部構成について図７（ａ）、（ｂ）、（ｃ）および図８を用いて説明する。なお、車両用空気質成分供給装置６０の車内２における配置箇所は、第１実施形態における図１を用いた説明と同様である。また、車両用空気質成分供給装置６０の制御構成についても、図２を用いた第１実施形態における説明と同様である。
【０１０５】
図７の各図に示すように、車両用空気質成分供給装置６０は、装置本体を構成する筐体内の一方側の端面に空気の固まりの放出口６３を有し、放出口６３と連通するように筐体内の一方側に設けられた空気質チャンバ６２と、他方側に設けられ所定の空気質成分を有する成分保有チャンバ６１と、成分保有チャンバ６１と空気質チャンバ６２を連通させる連通部としての間隙８０と、空気質チャンバ６２の容積を押し縮めるように制御される板状の動作部６４と、を備えた構成である。
【０１０６】
装置本体の内部には、成分保有チャンバ６１と空気質チャンバ６２が圧縮手段５４を介在して配置されている構成である。言い換えれば、装置本体の内部は、動作部６４によって成分保有チャンバ６１と空気質チャンバ６２とに大きく分けられている。
【０１０７】
この動作部６４は、空気質成分供給ＥＣＵ１００による制御によって、放出口６３寄りに移動して空気質チャンバ６２の容積を圧縮したり、放出口６３から離れる方向に移動して成分保有チャンバ６１の容積を圧縮したりする。そして、動作部６４が放出口６３から離れる方向に移動することにより、成分保有チャンバ６１内に保有されている空気質成分は、連通部３５を介して空気質チャンバ３２へ送られる。動作部６４が放出口６３寄りに移動することにより、空気質チャンバ６２内の気体は、空気質チャンバ６２から押し出されて放出口６３を通って車内２に放出される。
【０１０８】
成分保有チャンバ６１は、所定の空気質成分があらかじめ貯蔵されている空間であり、動作部６４が空気質チャンバ６２側や成分保有チャンバ６１側に移動することによってその容積は可変するように構成されている。所定の空気質成分は、カートリッジなどで構成される保有部６９に保有されており、この保有部６９から徐々に流出して揮発性の状態で成分保有チャンバ６１内に充満している。なお、この保有部６９は、空気質成分の減少度合いに応じて交換することによって補充することができるように構成されている。
【０１０９】
空気質チャンバ６２は、放出口６３から取り込んだ車内２の空気が充満されている空間であり、動作部６４が空気質チャンバ６２側や成分保有チャンバ６１側に移動することによってその容積は可変され、容積内の気体が圧縮された場合は、放出口６３から車内２に向けて空気の固まりが放出されることになる。空気質チャンバ６２内には、動作部６４が放出口６３から離れる方向に移動することにより、成分保有チャンバ６１内の空気質成分が、間隙８０を通って供給される。
【０１１０】
空気質チャンバ６２および成分保有チャンバ６１の容積を圧縮する圧縮手段は、装置本体の内部を横断するように配置され、弾性変形部６５および動作部６４から構成される板状部材と、磁力を発生する磁石６８と、この板状部材に設けられ、磁石６８の周囲を取り巻くようにパイプ状部材６６に巻回されているコイル６７と、から構成されており、例えば、ムービングコイル方式の圧縮手段である。
【０１１１】
磁石６８の周囲には、パイプ状部材６６がその内筒面と磁石６８の外筒面とに間に所定の間隙８０を設けて、筐体内部の一部を縦断するように配置されている。この間隙８０は、パイプ状部材６６がコイル６７と磁石６８によって発生する電磁力によって磁石６８の周囲をその外筒面に沿うように移動するときでも、維持されるものであり、空気質チャンバ６２と成分保有チャンバ６１とを連通する連通部として機能する。
【０１１２】
このパイプ状部材６６は、樹脂製部材であり、例えばポリカーボネートで構成してもよい。コイル６７は、電流が流れる素材で構成され、例えばエナメル材料で構成してもよい。磁石６８は、筐体の内壁面に接着により固定されたり、あるいは筐体の内壁に埋め込まれて一体化されたりする構成としてもよい。
【０１１３】
動作部６４は、磁石６８の周囲を取り巻くように外側に伸長する形態で配置されている。この動作部６４は、パイプ状部材６６の空気質チャンバ６２側の端部と一体化して空気質チャンバ６２および成分保有チャンバ６１の境界を形成し、装置本体の筐体内部を横断するように配されている。
【０１１４】
図８に示すように、動作部６４の外側には、動作部６４と一体化した弾性変形部６５が設けられ、弾性変形部６５は動作部６４を支持するとともに筐体の内壁に固定されており、動作部６４と同様に磁石６８を取り巻くように配置されている。弾性変形部６５は、動作部６４の移動に応じて自身の形態を弾性変形させて、動作部６４の動きを安定なものにしている。
【０１１５】
動作部６４は、例えば、硬質の材料からなる薄板で構成するのが望ましい。このよう材料で形成することによりその作動音を低減することができる。また、弾性変形部６５は、動作部６４よりもさらに硬質な材料で構成するのが好ましく、動作部６４の動きをより安定したものにできる。
【０１１６】
なお、図８に示すように、間隙８０は、装置本体の筐体内部において、放出口６３側から見て、略中央部に設けられていることが好ましく、また、放出口６３と対向する位置に設けられていることが好ましい。また、車両用空気質成分供給装置６０の外殻を構成する装置本体の筐体は、放出口６３側から見て、略円形状であり、動作部６４の移動方向、つまり、パイプ状部材６６の移動方向において寸法が小さい扁平状であることが好ましい。また、装置本体の筐体は、軸方向高さが低く、薄型の円筒体であることが好ましい。
【０１１７】
空気質成分供給ＥＣＵ１００の制御による圧縮手段の動作について説明する。車載バッテリなどから電圧を印加すると、電流がコイル６７に流れてパイプ状部材６６を磁石６８の外筒面に沿った前後方向のいずれかに押し出す電磁力が働き、このパイプ状部材６６の動きに伴って動作部６４が空気質チャンバ６２または成分保有チャンバ６１を圧縮する方向に移動する。
【０１１８】
さらに印加する電圧を適切に制御することにより、動作部６４を瞬間的に前後方向に移動させることができる。この動作部６４の移動により、空気質チャンバ６２の容積は瞬間的に小さくなるので、この容積内に充満していた空気質成分を含んだ気体は圧縮されて放出口６３から外部に瞬時に放出されることになる。この一連の動作を瞬時に起こすことで、放出口６３から放出される空気質成分を含んだ空気は、流体の塊、例えば、渦輪、球体状の塊、となって車内２に放出されることになる。
【０１１９】
次に、車両用空気質成分供給装置６０の動作について説明する。空気質成分供給ＥＣＵ１００は、車内２の乗員に向けて空気の固まりを放出するときには、圧縮手段に対して空気質チャンバ６２内の気体を圧縮する制御を実行する。具体的には、パイプ状部材６６を放出口６３寄り、つまり空気質チャンバ６２寄りに瞬間的に移動させる電磁力が発生するようにコイル６７に電流を流して、パイプ状部材６６および動作部６４を図７（ｂ）に示す白抜き矢印の向き、つまり、放出口６３に向かう向きに移動させる。
【０１２０】
このとき、所定の空気質成分を含有した空気質チャンバ６２内の気体は、その容積の瞬間的な減少によって放出口６３から空気の固まりとなって車内２に向けて放出される（以上、図７（ｂ）参照）。そして、空気の固まりは、車内２における空気の固まりを供給したい場所や乗員の付近で拡散した、所定の空気質成分が乗員に対して提供されることになる。
【０１２１】
次に、空気質成分供給ＥＣＵ１００は、次の空気の固まりの放出に備えて空気質チャンバ６２に車内２の空気および空気質成分を取り込むために、空気の固まりを放出した後に、成分保有チャンバ６１内の気体を圧縮する制御を実行する。具体的には、パイプ状部材６６を放出口６３から離れる方向、つまり成分保有チャンバ６１寄りに瞬間的に移動させる電磁力が発生するようにコイル６７に電流を流して、パイプ状部材６６および動作部６４を図７（ｃ）に示す白抜き矢印の向き、つまり、放出口６３から離れる向きに移動させる。
【０１２２】
このとき、成分保有チャンバ６１内の空気質成分を含有した気体は、成分保有チャンバ６１内の圧力が高くなることにより、連通部としての間隙８０を通って空気質チャンバ６２へ流入することになる。同時に、負圧状態となった空気質チャンバ６２には、放出口６３から車内２の空気が取り込まれる（以上、図７（ｃ）参照）。
【０１２３】
車両用空気質成分供給装置６０は、以上のような図７（ｂ）、図７（ｃ）を用いて説明した圧縮手段の制御を繰り返し行うことにより、空気質成分を空気質チャンバ６２内に供給する機構を別途必要としない簡潔な構成で、乗員に対する空気の固まりの供給を継続的に実施することができる。また、車両用空気質成分供給装置６０は、電磁力を用いて圧縮手段を駆動するので、空気の固まりの連続的な発生や、発生タイミングのより細かな制御を実施することができる。
【０１２４】
このように本実施形態の車両用空気質成分供給装置６０は、所定の空気質成分を有する成分保有チャンバ６１と、放出口６３から空気の固まりとして放出される空気質成分を含んだ気体を内蔵する空気質チャンバ６２と、成分保有チャンバ６１と空気質チャンバ６２を連通させる連通部としての間隙８０と、を備え、さらに、装置本体の筐体内部を、成分保有チャンバ６１と空気質チャンバ６２とに分けるように配置されるとともに、放出口６３寄りに移動して空気質チャンバ６２の容積を圧縮したり、放出口６３から離れる方向に移動して成分保有チャンバ６１の容積を圧縮したりする動作部６４と、を備えたものである。そして、動作部６４が放出口６３から離れる方向に移動することにより、成分保有チャンバ６１内の空気質成分が、間隙８０を通って空気質チャンバ６２に供給される構成としている。
【０１２５】
この構成によれば、装置を小型化することができ、さらに、空気質成分を空気質チャンバ６２内に供給する機構を別途必要とせず、装置を構成する部品数を低減することができる。
【０１２６】
また、動作部６４は、装置本体の筐体内部に設けられたコイル６７と磁石６８によって発生する電磁力を駆動力として磁石６８の周囲を移動するとともに、連通部を磁石６８と動作部との間に形成された間隙に設ける構成を採用した場合には、連通部や圧縮手段の配置スペースの有効化が図れ、装置をより小型にすることができる。
【０１２７】
また、動作部６４は、磁石６８の周囲を取り巻くように配置されていることが好ましく、この構成を採用した場合には、電磁力の働きによる動作部６４の移動をより安定させることができる。
【０１２８】
また、動作部６４を弾性変形部６５などにより支持する構成とした場合には、磁石６８と動作部６４との間に形成された間隙寸法をより安定させることができ、空気質チャンバ６２と成分保有チャンバ６１との間に気体の流通を安定したものにできる。
【０１２９】
また、間隙８０は、装置本体の筐体内部において、放出口６３側から見て、略中央部に設けられていることが好ましい。この構成を採用した場合には、連通部が筐体内部の略中央に配置されることにより、空気質成分を空気質チャンバ６２全体に効率よく行き渡らせることができる。
【０１３０】
また、間隙８０は、放出口６３と対向する位置に設けられていることが好ましい。この構成を採用した場合には、連通部と放出口６３が対向する位置関係にあることにより、連通部から流入した空気質成分をより確実に放出口６３近くに集めることができる。
【０１３１】
（第５実施形態）
第５実施形態の車両用空気質供給装置７０の内部構成について図９（ａ）、（ｂ）、（ｃ）および図１０を用いて説明する。本実施形態の車両用空気質成分供給装置７０は、第４実施形態において説明した車両用空気質成分供給装置６０に対して、連通部を閉塞可能とするシール部８３を有している点が異なっており、さらに、空気の固まりの放出を停止している状態において、シール部８３により連通部を閉塞する点が異なっている。なお、その他の部品の構成や制御については、第４実施形態の車両用空気質成分供給装置６０と同様である。
【０１３２】
図９（ａ）は、車両用空気質成分供給装置７０において、空気の固まりの放出動作停止時の内部状態を示した概念図である。図９（ｂ）は、空気の固まりが放出された時の内部の状態を示した概念図であり、図９（ｃ）は、空気質成分が空気質チャンバ７２に供給されたときの内部状態を示した概念図である。また、図１０は、図９（ａ）のＹ−Ｙ断面における矢視図である。
【０１３３】
図９の各図および図１０に示すように、車両用空気質成分供給装置７０は、磁石７８とパイプ状部材７６との間に形成された間隙８２を閉塞可能とするシール部８３を備えている。このシール部８３は、パイプ状部材７６と動作部７４とが結合するパイプ状部材７６の放出口７３側部位において、磁石７８の放出口７３側の端部７８ａの前方を覆うように設けられている。この端部７８ａは、円筒状の磁石７８の軸方向に略垂直な端面を構成し、パイプ状部材７６およびシール部８３の移動する方向に対して略垂直な端面である。また、シール部８３には、間隙８２と空気質チャンバ７２とを連通する小孔８１が設けられている。また、シール部８３は、空気質成分供給ＥＣＵ１００の制御により、車内２への空気の固まりの放出を停止している状態において空気質チャンバ７２と成分保有チャンバ７１の連通を閉鎖するように構成されている。
【０１３４】
また、車両用空気質成分供給装置７０は、間隙８２を閉塞するときには、このシール部８３を磁石７８に接触させて間隙８２を閉塞することによって、空気質チャンバ７２と成分保有チャンバ７１の連通を閉鎖する構成である。なお、シール部８３は、シール効果の高い軟性の材料で構成するものとし、例えば、ウレタン、エラストマーなどで構成する。
【０１３５】
なお、図１０に示すように、間隙８２および小孔８１は、装置本体の筐体内部において、放出口７３側から見て、略中央部に設けられていることが好ましく、また、放出口７３と対向する位置に設けられていることが好ましい。
【０１３６】
なお、車両用空気質成分供給装置７０におけるシール部８３および間隙８２を除く各構成部品は、第４実施形態の車両用空気質成分供給装置６０の各構成部品に対して、その名称は同様であり、その符号は、十の位の数字を６から７に置き換えたようにしている。例えば、第４実施形態における成分保有チャンバ６１および空気質チャンバ６２は、第５実施形態では、成分保有チャンバ７１および空気質チャンバ７２としている。その他の構成部品の放出口７３、動作部７４、弾性変形部７５、パイプ状部材７６、コイル７７、磁石７８、保有部７９についても同様である。
【０１３７】
以下に、車両用空気質成分供給装置７０の動作について説明する。空気質成分供給ＥＣＵ１００は、車内２の乗員に向けて空気の固まりを放出するときには、圧縮手段に対して空気質チャンバ７２内の気体を圧縮する制御を実行する。具体的には、パイプ状部材７６を放出口７３寄り、つまり空気質チャンバ７２寄りに瞬間的に移動させる電磁力が発生するようにコイル７７に電流を流して、パイプ状部材７６および動作部７４を図９（ｂ）に示す白抜き矢印の向き、つまり、放出口７３に向かう向きに移動させる。
【０１３８】
このとき、所定の空気質成分を含有した空気質チャンバ７２内の気体は、その容積の瞬間的な減少によって放出口７３から空気の固まりとなって車内２に向けて放出される（以上、図９（ｂ）参照）。そして、空気の固まりは、車内２における空気の固まりを供給したい場所や乗員の付近で拡散した、所定の空気質成分が乗員に対して提供されることになる。
【０１３９】
次に、空気質成分供給ＥＣＵ１００は、次の空気の固まりの放出に備えて空気質チャンバ７２に車内２の空気および空気質成分を取り込むために、空気の固まりを放出した後に、成分保有チャンバ７１内の気体を圧縮する制御を実行する。具体的には、パイプ状部材７６を放出口７３から離れる方向、つまり成分保有チャンバ７１寄りに瞬間的に移動させる電磁力が発生するようにコイル７７に電流を流して、パイプ状部材７６および動作部７４を図９（ｃ）に示す白抜き矢印の向き、つまり、放出口７３から離れる向きに移動させる。
【０１４０】
このとき、成分保有チャンバ７１内の空気質成分を含有した気体は、成分保有チャンバ７１内の圧力が高くなることにより、間隙８２、さらには小孔８１を通って空気質チャンバ７２へ流入することになる。同時に、負圧状態となった空気質チャンバ７２には、放出口７３から車内２の空気が取り込まれる（以上、図９（ｃ）参照）。
【０１４１】
さらに、空気質成分供給ＥＣＵ１００は、車内２への空気の固まりの放出を停止している状態、言い換えれば、空気の固まりを放出した後、次に空気の固まりを放出するまでの間隔が所定時間あいた状態においては、図９の（ｃ）に示す状態よりもさらに、パイプ状部材７６を成分保有チャンバ７１側に移動させるように制御する。
【０１４２】
この制御により、シール部８３は、パイプ状部材７６の移動とともに、磁石７８の放出口７３側の端部７８ａに押し付けられることになり、端部７８ａとシール部８３の裏面との間の空間がなくなって空気質チャンバ７２と成分保有チャンバ７１の連通が完全に閉鎖されることになる。
【０１４３】
車両用空気質成分供給装置７０は、以上のような図９（ｂ）、（ｃ）および（ａ）を用いて説明した圧縮手段の制御を行うことにより、空気質成分を空気質チャンバ７２内に供給する機構やそのシール機能を別途必要としない簡潔な構成で、乗員に対する空気の固まりの供給を継続的に実施することができる。
【０１４４】
このように本実施形態の車両用空気質成分供給装置７０は、間隙８２を閉塞可能とするシール部８３により、車内２への空気の固まりの放出を停止している状態において、空気質チャンバ７２と成分保有チャンバ７１の連通を閉鎖するものである。
【０１４５】
この構成によれば、車内２へ空気の固まりを放出しない状態のときに、成分保有チャンバ７１内の所定の空気質成分が装置本体の外部に漏れることを低減できる。また、保有する空気質成分を無駄に使用することがないので、空気質成分を補充したり、空気質成分内蔵のカートリッジなどを交換したりすることを低減することができる。
【０１４６】
また、車内２への空気の固まりの放出を停止している状態において、シール部８３を磁石７８に接触させて空気質チャンバ７２と成分保有チャンバ７１の連通を閉塞することが好ましい。この構成を採用した場合には、シール部８３を例えば弁のような簡単な形状によって構成することができる。
【０１４７】
また、シール部８３が、シール部８３の移動する方向に対して略垂直な端面に接触して空気質チャンバ７２と成分保有チャンバ７１の連通を閉塞する構成を採用した場合には、シール部８３の移動方向と、磁石などをシールするために力がかかる方向とが同じ方向となるので、高いシール性能を有した車両用空気質成分供給装置７０を提供できる。また、シール部８３のシール面と動作部７４の空気を圧縮する面がほぼ同じ方向を向く構成を採用しているので、筐体内部の気体を圧縮するエネルギーロスが少なく、かつシール性能に優れた車両用空気質成分供給装置７０を提供できる。
【０１４８】
（その他の実施形態）
以上、本発明の好ましい実施形態について説明したが、本発明は上述した実施形態に何ら制限されることなく、本発明の主旨を逸脱しない範囲において以下のように種々変形して実施することが可能である。
【０１４９】
例えば、上述の実施形態における空気質成分供給ＥＣＵ１００は、車両用空気質成分供給装置の制御を行う専用の制御手段であってもよいが、エアコンＥＣＵの一部として組み込まれる構成で、その中で車両用空気質成分供給装置の制御を担当する制御手段として機能するものであってもよい。
【０１５０】
また、本発明の圧縮手段の構成および動作方法は、上記実施形態に記載のものに限定されず、成分保有チャンバ側と空気質チャンバ側を往復運動することが可能な構成であればよい。例えば、蛇腹機構やカム機構を備えるものでもよい。
【図面の簡単な説明】
【０１５１】
【図１】第１、第２、および第３実施形態における車両用空気質成分供給装置を車内に配置する箇所を示した概念図である。
【図２】第１、第２、および第３実施形態における車両用空気質成分供給装置の制御構成を示したブロック図である。
【図３】（ａ）は、第１実施形態の車両用空気質成分供給装置２０において空気の固まりが放出された時の内部状態を示した概念図であり、（ｂ）は、空気質成分が空気質チャンバ２２に供給されたときの内部状態を示した概念図である。
【図４】（ａ）は、第２実施形態の車両用空気質成分供給装置３０において空気の固まりの放出直後の内部状態を示した概念図であり、（ｂ）は、空気質成分が空気質チャンバ３２に供給されたときの内部状態を示した概念図である。（ｃ）は、空気の固まりを放出する動作を行う前の内部状態を示した概念図であり、（ｄ）は、空気の固まりが放出された時の内部の状態を示した概念図である。
【図５】（ａ）は、第２実施形態の車両用空気質成分供給装置４０において空気の固まりの放出直後の内部状態を示した概念図であり、（ｂ）は、空気質成分が空気質チャンバ３２に供給されたときの内部状態を示した概念図である。（ｃ）は、空気の固まりを放出する動作を行う前の内部状態を示した概念図であり、（ｄ）は、空気の固まりが放出された時の内部の状態を示した概念図である。
【図６】（ａ）は、第３実施形態の車両用空気質成分供給装置５０において空気の固まりを放出する動作を行う前の内部状態を示した概念図であり、（ｂ）は、空気の固まりが放出された時の内部の状態を示した概念図である。
【図７】（ａ）は、第４実施形態の車両用空気質成分供給装置６０において、空気の固まりを放出した後または放出動作停止時の内部状態を示した概念図である。（ｂ）は、空気の固まりが放出された時の内部の状態を示した概念図であり、（ｃ）は、空気質成分が空気質チャンバ６２に供給されたときの内部状態を示した概念図である。
【図８】図７（ａ）のＸ−Ｘ断面における矢視図である。
【図９】（ａ）は、第５実施形態の車両用空気質成分供給装置７０において、空気の固まりの放出動作停止時の内部状態を示した概念図である。（ｂ）は、空気の固まりが放出された時の内部の状態を示した概念図であり、（ｃ）は、空気質成分が空気質チャンバ７２に供給されたときの内部状態を示した概念図である。
【図１０】図９（ａ）のＹ−Ｙ断面における矢視図である。
【符号の説明】
【０１５２】
２・・・・車内、２０、３０、４０、５０、６０、７０・・・・車両用空気質成分供給装置（装置本体）、２１、３１、６１、７１・・・・成分保有チャンバ、２２、３２、６２、７２・・・・空気質チャンバ、２３、３４、５４・・・・圧縮手段、２４、３３、６３、７３・・・・放出口、２５・・・・逆流防止ドア（逆流防止手段）、２６、３５・・・・連通部、３４・・・・圧縮手段（逆流防止手段）、３６・・・・第１開口（逆流防止手段）、３７・・・・第２開口（逆流防止手段）、４１・・・・シャッタ、５５、５６・・・・開閉ドア（逆流防止手段）、６４、７４・・・・動作部、６７、７７・・・・コイル、６８、７８・・・・磁石、８０、８２・・・・間隙(連通部)、８３・・・・シール部、１００・・・・空気質成分供給ＥＣＵ（制御手段）
【図１】
2007261560.tif 000003
【図２】
2007261560.tif 000004
【図３】
2007261560.tif 000005
【図４】
2007261560.tif 000006
【図５】
2007261560.tif 000007
【図６】
2007261560.tif 000008
【図７】
2007261560.tif 000009
【図８】
2007261560.tif 000010
【図９】
2007261560.tif 000011
【図１０】
2007261560.tif 000012